(57)【要約】【課題】  従来、カメラの回転操作部材のようなキースキャンとは非同期に通電を行い、検出信号の状態を更新する操作部材において、カメラのモードに応じた通電周期の制御は行っていなかった。本発明は、操作部材における不必要な状態検出を避け、操作部材における消費電力を抑えることを目的とする。【解決手段】  本発明に関するカメラ操作部材省電力制御においては、カメラのモードに応じて最適な通電周期による操作部材制御が可能となるため、不必要な状態検出を避けることができ、消費電力も抑えることが可能となる。【選択図】  図３
2007324833.tif 000002
【特許請求の範囲】
【請求項１】
カメラの動作モードを変更可能な動作モード変更手段と、通電時にのみ現在の状態を更新する操作部材と、前記操作部材に周期的に通電を行い状態の更新を行う操作部材制御手段を備えるカメラにおいて、前記動作モード変更手段によりカメラの動作モードが変更された際に、前記操作部材制御手段の周期を変更することを特徴とするカメラ。
【請求項２】
上記操作部材は、回転方向及び回転角度を検出可能な回転操作部材であることを特徴とする請求項１に記載のカメラ。
【請求項３】
上記動作モード変更手段により、上記回転操作部材が操作可能なモードに変更された際の上記回転操作部材への通電は、５回転／秒より遅い回転を検出可能な周期であることを特徴とする請求項２に記載のカメラ。
【請求項４】
上記動作モード変更手段により、上記回転操作部材がフォーカス制御として操作可能なモードに変更された際の上記回転操作部材への通電は、フォーカス用部材の移動速度と同じか、それより遅い回転を検出可能な周期であることを特徴とする請求項２に記載のカメラ。
【請求項５】
上記動作モード変更手段により、上記回転操作部材が表示画像送りとして操作可能なモードに変更された際の上記回転操作部材への通電は、１枚の表示画像を表示完了する速度と同じか、それより遅い回転を検出可能な周期であることを特徴とする請求項２に記載のカメラ。
【請求項６】
上記動作モード変更手段により、上記回転操作部材が操作不能なモードに変更された際には、上記回転操作部材への通電はオフにすることを特徴とする請求項２に記載のカメラ。
【発明の詳細な説明】
【技術分野】
【０００１】
本発明は、カメラ操作部材の状態検出における省電力制御方法に関する。
【背景技術】
【０００２】
従来、カメラ操作部材においては、キースキャンの際に通電を行う必要がある。ここで、消費電力を抑えるためにカメラ起動中常に操作部材への通電を行うのではなく、キースキャンを行うタイミングで一時的に通電を行う方法が用いられる。これにより、通電時間が減少し省電力制御が可能となる。さらに、カメラのモード変更により特定の操作部材が未使用となる場合、該操作部材に対しては常に通電を行わないことで、さらに消費電力を抑えることができる。
【０００３】
また、カメラ操作部材として回転方向及び回転角度を検出可能な回転操作部材がある。回転操作部材では、通電時に回転検出信号のHigh、Low状態を更新する。High、Low状態を更新した後は、通電を切っても回転検出信号は現在の状態を保つ。そのため、通電のタイミングはキースキャンと合わせなくても良い。
【０００４】
上記のような回転操作部材は、カメラのモードに応じて異なる機能を実現する。例えば、マニュアルフォーカスモードの際には、回転操作部材の回転量に応じてフォーカス用部材を動作させる。再生モードの際には、回転操作部材の回転量に応じて表示画像送りを行う。また、ＰＣ接続モードのように回転操作部材の操作が無効となるモードにおいては、回転操作部材の回転は無視される。
【０００５】
上記のようにカメラのモードに応じて操作部材の機能が変わる場合、検出すべき回転速度も異なる。例えば、マニュアルフォーカスモードの際は、回転操作部材の検出すべき回転速度はフォーカス用部材の動作速度までで良い。再生モードの際は、回転操作部材の検出すべき回転速度は１画像を表示可能な速度までで良い。ＰＣ接続モードの際は、回転操作部材は回転を検出しなくても良い。
【特許文献１】特開２００４−４８１６０
【発明の開示】
【発明が解決しようとする課題】
【０００６】
従来、上記の回転操作部材のようなキースキャンとは非同期に通電を行い、検出信号の状態を更新する操作部材において、カメラのモードに応じた通電周期の制御は行っていなかった。本発明は、上記のような操作部材における不必要な状態検出を避け、操作部材における消費電力を抑えることを目的とする。
【課題を解決するための手段】
【０００７】
本発明に関する操作部材制御手段においては、第１に、カメラの動作モードを変更可能な動作モード変更手段と、通電時にのみ現在の状態を更新する操作部材と、前記操作部材に周期的に通電を行い状態の更新を行う操作部材制御手段を備えるカメラにおいて、前記動作モード変更手段によりカメラの動作モードが変更された際に、前記操作部材制御手段の周期を変更することを特徴とする。
【０００８】
第２に、上記操作部材は、回転方向及び回転角度を検出可能な回転操作部材であることを特徴とする。
【０００９】
第３に、上記動作モード変更手段により、上記回転操作部材が操作可能なモードに変更された際の上記回転操作部材への通電は、５回転／秒より遅い回転を検出可能な周期であることを特徴とする。
【００１０】
第４に、上記動作モード変更手段により、上記回転操作部材がフォーカス制御として操作可能なモードに変更された際の上記回転操作部材への通電は、フォーカス用部材の移動速度と同じか、それより遅い回転を検出可能な周期であることを特徴とする。
【００１１】
第５に、上記動作モード変更手段により、上記回転操作部材が表示画像送りとして操作可能なモードに変更された際の上記回転操作部材への通電は、１枚の表示画像を表示完了する速度と同じか、それより遅い回転を検出可能な周期であることを特徴とする。
【００１２】
第６に、上記動作モード変更手段により、上記回転操作部材が操作不能なモードに変更された際には、上記回転操作部材への通電はオフにすることを特徴とする。
【発明の効果】
【００１３】
本発明によれば、カメラのモードに応じて最適な通電周期による操作部材制御が可能となるため、不必要な状態検出を避けることができ、消費電力も抑えることができる。
【発明を実施するための最良の形態】
【００１４】
以下、図面を参照して本発明の実施例を説明する。図１は本発明の実施例の構成を示す図である。
【００１５】
図1において、１００は画像処理装置である。
【００１６】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１７】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１８】
２０は画像処理回路であり、Ａ／Ｄ変換器１６からのデータ或いはメモリ制御回路２２からのデータに対して所定の画素補間処理や色変換処理を行う。
【００１９】
また、画像処理回路２０においては、撮像した画像データを用いて所定の演算処理を行い、得られた演算結果に基づいてシステム制御回路５０が露光制御手段４０、測距制御手段４２に対して制御を行う、TTL（スルー・ザ・レンズ）方式のAF（オートフォーカス）処理、AE（自動露出）処理、ＥＦ（フラッシュプリ発光）処理を行っている。
【００２０】
さらに、画像処理回路２０においては、撮像した画像データを用いて所定の演算処理を行い、得られた演算結果に基づいてTTL方式のAWB（オートホワイトバランス）処理も行っている。
【００２１】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２２】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２３】
２４は画像表示メモリ、２６はＤ／Ａ変換器、２７はＤ／Ａ変換器２６の出力を外部モニタに出力するコネクタである。外部主力コネクタ２７にコネクタが挿されている場合は外部出力接続検知手段１０８によりシステム制御回路５０は外部出力状態を知る事が出来る。
【００２４】
２８はTFT LCD等から成る画像表示部であり、画像表示メモリ２４に書き込まれた表示用の画像データはＤ／Ａ変換器２６を介して画像表示部２８により表示される。
【００２５】
画像表示部２８を用いて撮像した画像データを逐次表示すれば、電子ファインダー機能を実現することが可能である。
【００２６】
また、画像表示部２８は、システム制御回路５０の指示により任意に表示をON/OFFすることが可能であり、表示をOFFにした場合には画像処理装置１００の電力消費を大幅に低減することが出来る。
【００２７】
さらに、画像表示部２８は、回転可能なヒンジ部によって画像処理装置１００本体と結合されており、自由な向き、角度を設定して電子ファインダー機能や再生表示機能、各種表示機能を使用することが可能である。
【００２８】
また、画像表示部２８の表示部分を画像処理装置１００に向けて格納することが可能であり、この場合は画像表示部開閉検知手段１０６により、格納状態を検知して画像表示部２８の表示動作を停止することが出来る。
【００２９】
３０は撮影した静止画像や動画像を格納するためのメモリであり、所定枚数の静止画像や所定時間の動画像を格納するのに十分な記憶量を備えている。
【００３０】
これにより、複数枚の静止画像を連続して撮影する連射撮影やパノラマ撮影の場合にも、高速かつ大量の画像書き込みをメモリ３０に対して行うことが可能となる。
【００３１】
また、メモリ３０はシステム制御回路５０の作業領域としても使用することが可能である。メモリ３０は、記録媒体２００や２１０の書き込みバッファとしても使われる。
【００３２】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００３３】
４０は絞り機能を備えるシャッター１２を制御する露光制御手段であり、フラッシュ４８と連携することによりフラッシュ調光機能も有するものである。
【００３４】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００３５】
４８はフラッシュであり、AF補助光の投光機能、フラッシュ調光機能も有する。
【００３６】
露光制御手段４０、測距制御手段４２はTTL方式を用いて制御されており、撮像した画像データを画像処理回路２０によって演算した演算結果に基づき、システム制御回路５０が露光制御手段４０、測距制御手段４２に対して制御を行う。
【００３７】
５０は画像処理装置１００全体を制御するシステム制御回路、５２はシステム制御回路５０の動作用の定数、変数、プログラム等を記憶するメモリである。
【００３８】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばLCDやLED、発音素子等の組み合わせにより構成されている。
【００３９】
また、表示部５４は、その一部の機能が光学ファインダー１０４内に設置されている。
【００４０】
表示部５４の表示内容のうち、LCD等に表示するものとしては、シングルショット/連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信I/F動作表示、日付け・時刻表示、等がある。
【００４１】
また、表示部５４の表示内容のうち、光学ファインダー１０４内に表示するものとしては、合焦表示、手振れ警告表示、フラッシュ充電表示、シャッタースピード表示、絞り値表示、露出補正表示、等がある。
【００４２】
５６は電気的に消去・記録可能な不揮発性メモリであり、例えばEEPROM等が用いられる。
【００４３】
５８は記録媒体２００や２１０のデータ記録速度や、取得するデータのデータレートを測定するために使われるタイマである。
【００４４】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００４５】
ここで、これらの操作手段の具体的な説明を行う。
【００４６】
６０はモードダイアルスイッチで、電源オフ、自動撮影モード、撮影モード（パノラマ撮影モード、動画撮影モード含む）、再生モード、マルチ画面再生・消去モード、PC接続モード等の各機能モードを切り替え設定することが出来る。
【００４７】
６２はシャッタースイッチSW1で、不図示のシャッターボタンの操作途中でONとなり、AF（オートフォーカス）処理、AE（自動露出）処理、AWB（オートホワイトバランス）処理、ＥＦ（フラッシュプリ発光）処理等の動作開始を指示する。
【００４８】
６４はシャッタースイッチSW2で、不図示のシャッターボタンの操作完了でONとなり、撮像素子１２から読み出した信号をＡ／Ｄ変換器１６、メモリ制御回路２２を介してメモリ30に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。また動画撮影の場合は動画撮影の開始・停止を指示する。
【００４９】
６６は画像表示ON/OFFスイッチで、画像表示部２８のON/OFFを設定することが出来る。
【００５０】
この機能により、光学ファインダー１０４を用いて撮影を行う際に、TFT LCD等から成る画像表示部への電流供給を遮断することにより、省電力を図ることが可能となる。
【００５１】
６８はクイックレビューON/OFFスイッチで、撮影直後に撮影した画像データを自動再生するクイックレビュー機能を設定する。なお、本実施例では特に、画像表示部２８をOFFとした場合におけるクイックレビュー機能の設定をする機能を備えるものとする。
【００５２】
７０は各種ボタンやジョグダイヤルのような回転操作部材等からなる操作部で、メニューボタン、セットボタン、マクロボタン、マルチ画面再生改ページボタン、フラッシュ設定ボタン、単写/連写/セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタン等がある。
【００５３】
８０は電源制御手段で、電池検出回路、DC-DCコンバータ、通電するブロックを切り替えるスイッチ回路等により構成されており、電池の装着の有無、電池の種類、電池残量の検出を行い、検出結果及びシステム制御回路５０の指示に基づいてDC-DCコンバータを制御し、必要な電圧を必要な期間、記録媒体を含む各部へ供給する。
【００５４】
８２はコネクタ、８４はコネクタ、８６はアルカリ電池やリチウム電池等の一次電池やNiCd電池やNiMH電池、Li電池等の二次電池、ACアダプター等からなる電源手段である。
【００５５】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００５６】
なお、本実施例では記録媒体を取り付けるインターフェース及びコネクタを2系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００５７】
インターフェース及びコネクタとしては、PCMCIAカードやCF（コンパクトフラッシュ（登録商標））カード等の規格に準拠したものを用いて構成して構わない。なお、コンパクトフラッシュ（登録商標）は登録商標である。
【００５８】
さらに、インタフェース９０及び９４、そしてコネクタ９２及び９６をPCMCIAカードやCF（コンパクトフラッシュ（登録商標））カード等の規格に準拠したものを用いて構成した場合、LANカードやモデムカード、USBカード、IEEE1394カード、P1284カード、SCSIカード、PHS等の通信カード、等の各種通信カードを接続することにより、他のコンピュータやプリンタ等の周辺機器との間で画像データや画像データに付属した管理情報を転送し合うことが出来る。
【００５９】
１０２は、画像処理装置１００のレンズ１０を含む撮像部を覆う事により、撮像部の汚れや破損を防止するバリアである保護手段である。
【００６０】
１０４は光学ファインダであり、画像表示部２８による電子ファインダー機能を使用すること無しに、光学ファインダのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００６１】
１０６は画像表示部開閉検知手段であり、画像表示部２８が、画像表示部２８の表示部分を画像処理装置１００に向けて格納した格納状態にあるかどうかを検知することが出来る。
【００６２】
ここで、格納状態にあると検知したならば画像表示部２８の表示動作を停止して不要な電力消費を禁止することが可能である。
【００６３】
１０８は外部出力コネクタ接続検知手段であり、外部出力コネクタ２７に外部モニタが接続されているかどうかを検知することが出来る。ここで、接続状態にあると検知したならば画像表示部２８の代わりに外部モニタを表示装置として用いることが可能である。
【００６４】
１１０は通信手段で、RS232CやUSB、IEEE1394、P1284、SCSI、モデム、LAN、無線通信、等の各種通信機能を有する。
【００６５】
１１２は通信手段１１０により画像処理装置１００を他の機器と接続するコネクタ或いは無線通信の場合はアンテナである。
【００６６】
１１４はマイクで、音声データ取得手段である。１１６はマイク１１４で得られた音声データをシステム制御５０で取得するためにA/D変換するA/D変換機である。
【００６７】
１１８はスピーカーで、音声データ再生手段である。１２０はシステム制御５０から出力されるデジタル音声データをスピーカー１１８で再生するためにD/A変換するD/A変換機である。
【００６８】
２００はメモリカードやハードディスク等の記録媒体である。
【００６９】
記録媒体２００は、半導体メモリや磁気ディスク等から構成される記録部２０２、画像処理装置１００とのインタフェース２０４、画像処理装置１００と接続を行うコネクタ２０６を備えている。
【００７０】
また、この記録媒体２００がPCMCIA規格のPC-Cardやコンパクトフラッシュ（登録商標）等の場合は、性能が記されている情報記憶回路を内蔵している事もある。
【００７１】
２１０はメモリカードやハードディスク等の記録媒体である。
【００７２】
記録媒体２１０は、半導体メモリや磁気ディスク等から構成される記録部２１２、画像処理装置１００とのインタフェース２１４、画像処理装置１００と接続を行うコネクタ２１６を備えている。
【００７３】
また、この記録媒体２１０がPCMCIA規格のPC-Cardやコンパクトフラッシュ（登録商標）等の場合は、性能が記されている情報記憶回路を内蔵している事もある。
【００７４】
図２〜図７を参照して、本発明の実施例の動作を説明する。
【００７５】
図２に本実施例のジョグダイヤルの仕様を示す。ジョグダイヤルは、回転方向及び回転角度を検出可能な回転操作部材である。ジョグダイヤルを回転すると、回転に応じてRotary encoderに信号が入力される。したがってRotary encoderに入力されたHigh状態とLow状態の繰り返しを回転として検出することができる。ジョグダイヤルの回転を検出するためには、ジョグダイヤルに対して通電を行い、Rotary encoderから信号を検出し、回転検出信号を得る必要がある。回転検出信号は、状態を更新した後は通電を切っても現在の状態を保つ。そのため、通電のタイミングはキースキャンと合わせなくても良い。
【００７６】
図２ではジョグダイヤルに対して常に通電を行っているため、Rotary encoderからの信号が、常に回転検出信号に反映されている。したがって、図２の方法によりジョグダイヤルの回転検出精度高くすることができる。ただし、ジョグダイヤルへの通電時間が長く、消費電力は高い。カメラのモードによって必要となる回転検出精度は異なる。本発明では、適切な回転検出精度を考慮し、消費電力を抑える方法を述べる。
【００７７】
図３は本実施例のジョグダイヤルへの通電制御のフローチャートを示す。
【００７８】
カメラ起動時には各々のモードで起動するための初期設定を行う（Ｓ１０１）。
【００７９】
初期設定完了後、カメラのモードが切り替わっているかどうかを判定する（Ｓ１０２）。カメラ起動時もしくはカメラのモード切り替え時にはＳ１０３へと進む。カメラモードに変更がない場合はＳ１０２へ戻り、カメラのモードが切り替えられるまで判定を繰り返す。
【００８０】
Ｓ１０３ではカメラのモードがPCモードであるか判定する。PCモードである場合はＳ１０４へと進み、ジョグダイヤルへの通電方法を通電OFFモードに変更する。通電OFFモードとは図４のように、ジョグダイヤルへの通電を常にオフするモードである。本実施例のPCモードでは、ジョグダイヤルの回転操作は無効となる。したがって通電OFFモードにより、通電を常にオフすることで消費電力を抑え、回転検出も行わない。
【００８１】
Ｓ１０３によりPCモードでないと判定した場合、次にＳ１０５により再生モードであるか判定する。再生モードである場合はＳ１０６へと進み、ジョグダイヤルへの通電方法を再生用通電モードに変更する。再生用通電モードとは図５のように、１枚の表示画像を表示完了する速度に合わせてジョグダイヤルへ周期的に通電するモードである。本実施例の再生モードでは、ジョグダイヤルの回転に応じて表示画像送りを行う。この場合、１枚の表示画像を表示完了する速度より速い回転は検出しても無意味である。したがって再生用通電モードにより、最低限の検出精度を保ちながら消費電力を抑える。
【００８２】
Ｓ１０５により再生モードでないと判定した場合、次にＳ１０７によりマニュアルフォーカス撮影（MF）モードであるか判定する。MFモードである場合はＳ１０８へと進み、ジョグダイヤルへの通電方法をMF用通電モードに変更する。MF用通電モードとは図６のように、フォーカス用部材の移動速度に合わせてジョグダイヤルへ周期的に通電するモードである。本実施例のMFモードでは、ジョグダイヤルの回転に応じてフォーカス用部材の移動を行う。この場合、フォーカス用部材の移動速度より速い回転は検出しても無意味である。したがってMF用通電モードにより、最低限の検出精度を保ちながら消費電力を抑える。
【００８３】
Ｓ１０７によりMFモードでないと判定した場合、Ｓ１０９へと進み、ジョグダイヤルへの通電方法を通常通電モードに変更する。通常通電モードとは図７のように、約１／５秒に一回の周期でジョグダイヤルへ通電するモードである。本実施例のジョグダイヤルは、ユーザの手による回転を考慮すると５回転／秒の速さまでを検出できれば適度な検出精度であることがわかっている。したがって通常通電モードにより、最低限の検出精度を保ちながら消費電力を抑える。
【００８４】
以上、図１〜図７を用いて本発明の実施例の説明を行った。
【００８５】
以上説明したように、本実施例によれば、カメラのモードに応じて最適な通電周期による操作部材制御が可能となるため、不必要な状態検出を避けることができ、消費電力も抑えることが可能となる。
【図面の簡単な説明】
【００８６】
【図１】本発明の一実施例の構成ブロック図である。
【図２】本実施例におけるジョグダイヤル動作仕様図である。
【図３】本実施における通電モード切り替えルーチンのフローチャートである。
【図４】本実施例のPCモード時におけるジョグダイヤル通電方法の図である。
【図５】本実施例の再生モード時におけるジョグダイヤル通電方法の図である。
【図６】本実施例のMFモード時におけるジョグダイヤル通電方法の図である。
【図７】本実施例の通常モード時におけるジョグダイヤル通電方法の図である。
【符号の説明】
【００８７】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御手段
４２  測距制御手段
４４  ズーム制御手段
４６  バリア制御手段
４８  フラッシュ
５０  システム制御回路
５２  システムメモリ
５４  表示部
５６  不揮発性メモリ
６０  モードダイアルスイッチ
６２  シャッタースイッチSW1
６４  シャッタースイッチSW2
６６  画像表示ON/OFFスイッチ
６８  クイックレビューON/OFFスイッチ
７０  操作部
８０  電源制御手段
８２  コネクタ
８４  コネクタ
８６  電源手段
９０  インタフェース
９２  コネクタ
９４  インタフェース
９６  コネクタ
９８  記録媒体着脱検知手段
１００  画像処理装置
１０２  保護手段
１０４  光学ファインダ
１１０  通信手段
１１２  コネクタ（またはアンテナ）
２００  記録媒体
２０２  記録部
２０４  インタフェース
２０６  コネクタ
２１０  記録媒体
２１２  記録部
２１４  インタフェース
２１６  コネクタ
【図１】
2007324833.tif 000003
【図２】
2007324833.tif 000004
【図３】
2007324833.tif 000005
【図４】
2007324833.tif 000006
【図５】
2007324833.tif 000007
【図６】
2007324833.tif 000008
【図７】
2007324833.tif 000009